(57)【要約】【課題】中継局設備の設置を要せずに基地局ゾーンの外部や不感地域からの通信が得られるようにした無線通信システムを提供すること。【解決手段】複数の移動局Ａ、移動局ａが班を構成し、各移動局を基地局ゾーンと作業エリア、及びその中間に配置し、移動局Ａと移動局ａが直接通信キャリアｆ３を使って作業エリアの移動局ａから基地局ゾーンの移動局Ａにメッセージを伝達し、基地局エリアの移動局Ａがメッセージを上り波キャリアｆ２に乗せ代えて基地局に通知するようにした。【選択図】　図１
2004015119.tif 000002
【特許請求の範囲】
【請求項１】
基地局による基地局ゾーン内に、当該基地局を介して通信を行う基地従属モードと、移動局相互間で直接通信を行う直接通信モードの２種の通信モードで動作する複数の移動局を備えた移動通信システムにおいて、
前記複数の移動局の中の少なくとも１台に、前記基地従属モードと直接通信モードの２種の通信モード間で、一方の通信モードで受信した情報を一旦記憶した後、他方の通信モードで送信する手段を設け、
前記複数の移動局の中で、前記基地局ゾーンの外にある作業エリアに位置した移動局が現われたとき、前記手段を有する移動局を中継することにより、前記作業エリア内の移動局と前記基地局の間での通信動作が得られるように構成したことを特徴とする移動通信システム。
【請求項２】
請求項１に記載の発明において、
前記複数の移動局が班を構成し、各移動局を基地局ゾーンと作業エリアに配置して移動局同士が直接通信キャリアを使って通信を行い、
作業エリアの移動局からのメッセージを直接通信キャリアを使って基地局ゾーンの移動局に伝達し、
基地局エリアの移動局が該メッセージを上り波キヤリアに乗せ代えて基地局に通知することを特徴とする移動通信システム。
【請求項３】
請求項２に記載の発明において、
作業エリアの移動局がメッセージを直接通信キャリアで送信する際、自局の識別情報（ＩＤ）を含む通知情報をメッセージと共に送信し、
直接通信キャリアを受信した基地局ゾーンの移動局が通知情報を参照し、それが作業エリアの移動局からの通知情報であったとき、このときの受信メッセージを上り波キャリアに乗せ代えて基地局に送信することを特赦とする移動通信システム。
【請求項４】
請求項２に記載の発明において、
前記基地局ゾーンの移動局が直接通信キャリアで受信したメッセージを上りキャリアに乗せ代えて送信する際、自局の識別情報（ＩＤ）を含む通知情報をメッセージと共に送信することを特徴とする移動通信システム。
【請求項５】
請求項２に記載の発明において、
前記上り波キャリアに乗せ代えられた直接通信キャリアのメッセージを受信した基地局がメッセージ情報を参照し、それが通知情報であったとき、当該メッセージの送信局のＩＤ情報が含まれたＡＣＫ情報を下り波キャリアにより送信することを特徴とする移動通信システム。
【請求項６】
請求項２に記載の発明において、
前記下り波キャリアを受信した基地局ゾーンの移動局がメッセージ情報を参照し、それが自局のＩＤ情報を含むＡＣＫ情報であったとき、作業エリアの移動局のＩＤ情報が含まれたＡＣＫ情報を直接通信キャリアにより送信することを特徴とする移動通信システム。
【請求項７】
請求項１に記載の発明において、
前記複数の移動局が班を構成し、各移動局を基地局ゾーンと作業エリアに配置して移動局同士が直接通信キャリアを使って通信を行い、
基地局からのメッセージ要求に対して基地局ゾーンの移動局がこれを受信し、直接通信キャリアを使って作業エリアの移動局に要求信号を伝達し、
要求信号を受信した作業エリアの移動局がメッセージ情報を直接通信キャリアを使って基地局ゾーンの移動局に伝達し、
基地局エリアの移動局が該メッセージを上り波キャリアに乗せ代えて基地局に通知することを特徴とする移動通信システム。
【請求項８】
請求項７に記載の発明において、
前記下り波キャリアを受信した基地局ゾーンの移動局がメッセージ情報を参照し、それが自局ＩＤ情報を含む要求情報であったとき、
作業エリアの移動局のＩＤ情報が含まれた要求情報を、直接通信キャリアにより送信することを特徴とする移動通信システム。
【請求項９】
請求項７に記載の発明において、
前記直接通信キャリアを受信した作業エリアの移動局がメッセージ情報を参照し、それが自局のＩＤ情報を含む要求情報であったとき、
自局のＩＤ情報を含む通知情報をメッセージと共に、直接通信キャリアにより送信することを特徴とする移動通信システム。
【請求項１０】
請求項７に記載の発明において、
前記直接通信キャリアを受信した基地局ゾーンの移動局がメッセージ情報を参照し、それが作業エリアの移動局からの通知情報であったとき、
このときの受信メッセージを上り波キャリアに乗せ代えて基地局に送信することを特徴とする移動通信システム。
【請求項１１】
請求項１に記載の発明において、
前記作業エリアの移動局と前記基地局ゾーンの移動局の間に移動局を配置し、この移動局が直接通信キャリアを使ってメッセージの中継を行なうことを特徴とする移動通信システム。
【請求項１２】
請求項１に記載の発明において、
前記メッセージを中継する移動局は、受信した直接通信キャリアが通知情報のときは、当該受信メッセージに自局のＩＤ情報が含まれた通知情報を付加して直接通信キャリアにより送信し、
受信した直接通信キャリアがＡＣＫ情報のときは、作業エリアの移動局のＩＤ情報が含まれたＡＣＫ情報を直接通信キャリアにより送信し、
受信した直接通信キャリアが要求情報のときは、作業エリアの移動局のＩＤ情報が含まれた要求情報を直接通信キャリアにより送信することを特徴とする移動通信システム。
【発明の詳細な説明】
【０００１】
【発明の属する技術分野】
本発明は、基地局と移動局を備えた移動通信システムに係り、特に移動局間での直接通信モードを有する移動通信システムに関する。
【０００２】
【従来の技術】
我が国の業務用無線通信に関する分野では、無線周波数の有効利用を目的として、近年、ＳＣＰＣ（Ｓｉｎｇｌｅ　Ｃｈａｎｎｅｌ　Ｐｅｒ　Ｃａｒｒｉｅｒ）方式による狭帯域デジタル無線通信技法の導入が進められている。
【０００３】
そこで、この狭帯域デジタル無線通信技法による移動通信システムの従来技術について、一例を挙げて説明すると、このシステムは、図７に示すように、指令卓設備と回線制御装置、基地局無線設備、それに複数の移動局（端末）設備を基本的な構成とする大ゾーン方式になっている。
【０００４】
更に、図示のように、必要に応じて、例えばサービスセンタなどの前進基地局を設置したり、例えば回線制御装置と基地局間の有線接続が困難なときには無線アプローチ局設備及び無線中継局設備を設置したりする。
【０００５】
そして、このシステムでは、周波数がｆ１とｆ２の基地局から見て下りと上りでペアになった２種の無線キャリア、つまり下り上りペア波を用い、基地局−移動局間及び基地局を経由した移動局−移動局間でプレストーク通信を行う基地局従属型の通信モード（以下、基地従属モードと呼ぶ）と、移動局同士が基地局を介さずに基地局が使用していない周波数ｆ３の直接通信用キャリアを用いて移動局−移動局間でプレストーク通信を行なう直接通信モードの２種の通信モードで通信サービスを行うようになっている。
【０００６】
次に、このシステムにおける基地局と移動局の動作について、図８の通信シーケンスを用いて説明する。ここで、図８（ａ）は、基地従属モードにおける移動局から基地局へのプレストーク送信動作と、基地局から移動局への中継動作のシーケンスの一例を示したもので、同図（ｂ）は、直接通信モードにおける移動局から移動局へのプレストーク通信動作のシーケンスの一例を示したものである。
【０００７】
はじめに図８（ａ）に示した動作について説明すると、このシステムでは、基地局は、メッセージ情報を含まない空線信号を周波数ｆ１の下り波キャリアで常時送信し、当該基地局の運用エリア（基地局ゾーン）内で基地従属モードで動作している全ての移動局（図の移動局Ａ、Ｄ、Ｅ）は、この下り波キャリアを受信して基地局と同期をとっている。
【０００８】
ここでいま、移動局Ａが発呼したとする。つまりオペレータがプレスボタンをＯＮし、送信要求を出したとする。そうすると、移動局Ａは周波数ｆ２の上り波キャリアで発呼動作を開始し、同期信号、メッセージの順に送信を行ない、最後に空線信号を送信して終話を通知する。
【０００９】
そこで、基地局は、この上り波キャリアを受信し、そのメッセージを指令卓に伝達する。そして、更に基地局は、必要に応じて移動局からの上り波メッセージを周波数ｆ１の下り波キャリアに乗せ代えて送信し、他の移動局に中継するのである。
【００１０】
次に、図８（ｂ）に示した動作について説明すると、このとき、各移動局は直接通信モードで動作している。そしていま、移動局Ｂが発呼したとする。つまりオペレータがプレスボタンをＯＮし、送信要求を出したとする。そうすると、移動局Ｂは、周波数ｆ３の直接通信用キャリアで発呼動作を開始し、同期信号、メッセージの順に送信を行ない、最後に空線信号を送信して終話（通話終了）を通知する。
【００１１】
そこで、直接通信モードで動作している他の移動局Ｃは、このとき送信された直接通信用キャリアを受信し、それに同期した後、そのメッセージを受信するのである。
【００１２】
更に、この従来のシステムでは、前進基地局の場合も前述の基地局と同様にして、前進基地局ゾーン内に位置した移動局と通信サービスを行なう。また、無線中継局の場合は、回線制御装置と無線アプローチ局を経由して無線回線で接続されることを除き、このときも前述の基地局と同様にして、中継局ゾーン内に位置している移動局と通信サービスが行なえる。
【００１３】
【発明が解決しようとする課題】
上記従来技術は、基地局ゾーンの暫定的な拡張にも固定的な設備を要する点ついて配慮がされておらず、設備設定によるコストの追加に問題があった。
【００１４】
従来技術では、必要に応じて前進基地局や中継局設備を設置することにより、当該基地局ゾーンの外からでも指令卓への情報伝達を可能にしている。反面、このような前進基地局や中継局設備の設置はシステムのコスト増加になるため、必要最小限の増設にならざるを得ない。
【００１５】
ところで、このような業務用無線通信システムの利用分野には、消防、ガス、水道、電力などの公共機関も含まれているが、この場合、例えば事故や工事などに際しては、その現地が基地局ゾーンによるサービスエリア外のときでも、その現地を含むエリア（作業エリア）に移動局が赴く必要がある。
【００１６】
しかして、この場合でも、当該作業エリアから指令卓に情報を伝達しなければならない場合があり、このとき、たとえ現地が基地局ゾーンの近辺であったとしても、当該作業エリアが、地形などの影響で充分な通信品質が確保できない環境（不感地域）にあることもある。
【００１７】
しかして、このような事態は一時的で、例えば事故が復旧し、工事が終了すれば収まってしまうが、しかし、従来技術では、このような暫定的な事態に際しても、基地局と現地の間に中継局設備を設置して対応しなければならないので、中継局設備の設置に要する費用の負担に問題が生じてしまうのである。
【００１８】
また、このとき情報伝達に即時性が求められる場合には、この中継局の準備や設置に要する時間も問題になり、その短縮が課題となる。更に中継局を設置する場合には、周辺ゾーンとの周波数の干渉も考慮しなければならない。
【００１９】
本発明の目的は、中継局設備の設置を要せずに基地局ゾーンの外部や不感地域からの通信が得られるようにした無線通信システムを提供することにある。
【００２０】
【課題を解決するための手段】
上記目的は、基地局による基地局ゾーン内に、当該基地局を介して通信を行う基地従属モードと、移動局相互間で直接通信を行う直接通信モードの２種の通信モードで動作する複数の移動局を備えた移動通信システムにおいて、前記複数の移動局の中の少なくとも１台に、前記基地従属モードと直接通信モードの２種の通信モード間で、一方の通信モードで受信した情報を一旦記憶した後、他方の通信モードで送信する手段を設け、前記複数の移動局の中で、前記基地局ゾーンの外にある作業エリアに位置した移動局が現われたとき、前記手段を有する移動局を中継することにより、前記作業エリア内の移動局と前記基地局の間での通信動作が得られるようにして達成される。
【００２１】
このとき、前記複数の移動局が班を構成し、各移動局を基地局ゾーンと作業エリアに配置して移動局同士が直接通信キャリアを使って通信を行い、作業エリアの移動局からのメッセージを直接通信キャリアを使って基地局ゾーンの移動局に伝達し、基地局エリアの移動局が該メッセージを上り波キヤリアに乗せ代えて基地局に通知することによっても上記目的が達成される。
【００２２】
また、このとき、さらに作業エリアの移動局がメッセージを直接通信キャリアで送信する際、自局の識別情報（ＩＤ）を含む通知情報をメッセージと共に送信し、直接通信キャリアを受信した基地局ゾーンの移動局が通知情報を参照し、それが作業エリアの移動局からの通知情報であったとき、このときの受信メッセージを上り波キャリアに乗せ代えて基地局に送信することによっても上記目的が達成される。
【００２３】
同じくこのとき、前記基地局ゾーンの移動局が直接通信キャリアで受信したメッセージを上りキャリアに乗せ代えて送信する際、自局の識別情報（ＩＤ）を含む通知情報をメッセージと共に送信することによっても上記目的が達成される。
【００２４】
また、このとき、前記上り波キャリアに乗せ代えられた直接通信キャリアのメッセージを受信した基地局がメッセージ情報を参照し、それが通知情報であったとき、当該メッセージの送信局のＩＤ情報が含まれたＡＣＫ情報を下り波キャリアにより送信することによっても上記目的が達成される。
【００２５】
更に、このとき、前記下り波キャリアを受信した基地局ゾーンの移動局がメッセージ情報を参照し、それが自局のＩＤ情報を含むＡＣＫ情報であったとき、作業エリアの移動局のＩＤ情報が含まれたＡＣＫ情報を直接通信キャリアにより送信することによっても上記目的が達成される。
【００２６】
次に、上記目的は、前記複数の移動局が班を構成し、各移動局を基地局ゾーンと作業エリアに配置して移動局同士が直接通信キャリアを使って通信を行い、基地局からのメッセージ要求に対して基地局ゾーンの移動局がこれを受信し、直接通信キャリアを使って作業エリアの移動局に要求信号を伝達し、要求信号を受信した作業エリアの移動局がメッセージ情報を直接通信キャリアを使って基地局ゾーンの移動局に伝達し、基地局エリアの移動局が該メッセージを上り波キャリアに乗せ代えて基地局に通知することによっても達成される。
【００２７】
ここで、前記下り波キャリアを受信した基地局ゾーンの移動局がメッセージ情報を参照し、それが自局ＩＤ情報を含む要求情報であったとき、作業エリアの移動局のＩＤ情報が含まれた要求情報を、直接通信キャリアにより送信することによっても上記目的が達成できる。
【００２８】
また、ここで、前記直接通信キャリアを受信した作業エリアの移動局がメッセージ情報を参照し、それが自局のＩＤ情報を含む要求情報であったとき、自局のＩＤ情報を含む通知情報をメッセージと共に、直接通信キャリアにより送信することによっても上記目的が達成できる。
【００２９】
同じくここで、前記直接通信キャリアを受信した基地局ゾーンの移動局がメッセージ情報を参照し、それが作業エリアの移動局からの通知情報であったとき、このときの受信メッセージを上り波キャリアに乗せ代えて基地局に送信することによっても上記目的が達成できる。
【００３０】
更に、このとき、前記作業エリアの移動局と前記基地局ゾーンの移動局の間に移動局を配置し、この移動局が直接通信キャリアを使ってメッセージの中継を行なうようにしても上記目的が達成できる。
【００３１】
ここで、前記メッセージを中継する移動局は、受信した直接通信キャリアが通知情報のときは、当該受信メッセージに自局のＩＤ情報が含まれた通知情報を付加して直接通信キャリアにより送信し、受信した直接通信キャリアがＡＣＫ情報のときは、作業エリアの移動局のＩＤ情報が含まれたＡＣＫ情報を直接通信キャリアにより送信し、受信した直接通信キャリアが要求情報のときは、作業エリアの移動局のＩＤ情報が含まれた要求情報を直接通信キャリアにより送信することによっても上記目的が達成される。
【００３２】
【発明の実施の形態】
以下、本発明による無線通信システムについて、図示の実施形態により詳細に説明すると、ここで、まず、図１は本発明の第１の実施形態で、これは、基地局による運用エリアを基地局ゾーンとし、この中で運用する複数の移動局からなる移動通信システムにおいて、予め複数の移動局で班を編成し、これら複数の移動局が相互に親局と子局の機能を果たせるようにしたものである。
【００３３】
そして、いま、例えば事故の発生などにより現地に移動し、基地局ゾーン外にある作業エリア内に位置した移動局（作業エリア内移動局）が現われたとき、この移動局を子局とし、このとき基地局ゾーン内に残っていた移動局を親局とすることにより、子局と基地局の間で通信できるようにしたものである。
【００３４】
ここで、図１では、移動局ａがゾーン外の作業エリアに移動して子局になり、移動局Ａが基地局ゾーンに位置して親局になった場合で、子局（移動局ａ）から周波数ｆ３の直接通信用キャリアで送信されるメッセージを親局（移動局Ａ）が周波数ｆ２の上り波キャリアに乗せ代えて基地局に通知する場合の一例が示されている。
【００３５】
次に、この図１に示した実施形態における基地局と移動局の動作について、図２の通信シーケンスを用いて説明する。ここで、この図２では、移動局Ａと移動局ａで編成された班がＡであり、従って、移動局ＡがＡ班の親局（Ａ班、親）で、移動局ａはＡ班の子局（Ａ班、子）であるとしている。
【００３６】
この図２の通信シーケンスにおいて、作業エリアにある移動局ａが発呼する場合は、オペレータがプレスボタンをＯＮし、基地局に送信すべきメッセージと共に、自局の識別情報（ＩＤ）を含む通知情報を直接通信用キャリア（ｆ３）により送信する。
【００３７】
この場合、移動局Ａは、親局になったことにより直接通信モードで待機している。そこで、このときの移動局ａの発呼による直接通信キャリア（ｆ３）は直ちに移動局Ａにより受信される。
【００３８】
そして、移動局Ａは、いま受信したメッセージ情報が子局（移動局ａ）のＩＤを含む通知情報であると分かったとき、当該メッセージをメモリに一旦保持し、次いで通信モードを基地従属モードに切り替える。
【００３９】
この後、移動局Ａは、自局ＩＤを含む通知情報と共に、いまメモリに保持したメッセージを読出し、それを上り波キャリア（ｆ２）により送信し、これが基地局で受信されるようにする。
【００４０】
基地局は、この上り波キャリア（ｆ２）を受信し、その通知情報に含まれているＩＤから、これが移動局Ａからの通知情報であることが確認されたら、今度は、このメッセージを受信したことを示すため、移動局ＡのＩＤを含む受理（ＡＣＫ）情報を下り波キャリア（ｆｌ）により送信する。
【００４１】
そこで、移動局Ａは、この下り波キャリア（ｆｌ）を受信し、自局ＩＤを含むＡＣＫ情報が確認できたら通信モードを直接通信モードに切り替え、この後、直接通信キャリア（ｆ３）により移動局ａのＩＤを含むＡＣＫ情報を送信する。
【００４２】
そして、移動局ａは、このとき受信された直接通信キャリア（ｆ３）によるメッセージ情報が自局ＩＤを含むＡＣＫ情報であったとき、自局メッセージが基地局に伝達されたことを確認し、ここで、このときの通信動作が完了されたことになる。
【００４３】
次に、図３も移動局ａがゾーン外の作業エリアに移動して子局になり、移動局Ａが基地局ゾーンに位置して親局になった場合であるが、今度は、基地局からの下り波キャリア（ｆｌ）による送信要求を、親局（移動局Ａ）を経由して子局（移動局ａ）に伝達し、この子局のメッセージを、再び親局（移動局Ａ）を経由して基地局に通知する場合の一例を示したものである。
【００４４】
次に、この図３に示した実施形態における基地局と移動局の動作について、図４の通信シーケンスを用いて説明する。ここで、この図４でも、移動局Ａと移動局ａで編成された班がＡであり、従って、移動局ＡがＡ班の親局（Ａ班、親）で、移動局ａはＡ班の子局（Ａ班、子）であるとしている。
【００４５】
この図２の通信シーケンスにおいて、基地局は、基地局ゾーン外の作業エリアで作業する移動局の状況を確認する場合、当該移動局ＡのＩＤ情報を含む要求信号を下り波キャリア（ｆｌ）により送信し、移動局Ａで受信されるようにする。
【００４６】
そこで、この要求信号を受信した移動局Ａは、いま受信した下り波キャリアによるメッセージ情報を参照し、それが自局ＩＤを含む要求情報と分かったとき、通信モードを直接通信モードに切り替える。そして、次に直接通信キャリア（ｆ３）により、子局（移動局ａ）のＩＤを含む要求情報を送信する。
【００４７】
このとき、移動局ａは直接通信モードにある。そこで、移動局ａは受信した直接通信キャリアによるメッセージ情報を参照し、それが自局ＩＤを含む要求情報であったとき、自局ＩＤを含む通知情報とメッセージを直接通信キャリア（ｆ３）により送信する。
【００４８】
この直接通信キャリア（ｆ３）による送信は、直接通信モードで待機している移動局Ａにより受信され、ここで受信した直接通信キャリアによるメッセージ情報を参照し、それが子局（移動局ａ）のＩＤを含む通知情報であったとき、受信したメッセージをメモリに一旦保持し、今度は直接通信キャリア（ｆ３）によりＡＣＫ情報を送信し、移動局ａにメッセージの受理を報告する。
【００４９】
ここで移動局Ａは、更に通信モードを基地従属モードに切り替え、メモリに格納しておいた移動局ａからのメッセージを、自局のＩＤ情報と共に上り波キャリア（ｆ２）に乗せ代え、基地局で受信されるようにして送信する。
【００５０】
そこで、基地局は、再び下り波キャリア（ｆｌ）によりＡＣＫ情報を送信し、移動局Ａに、移動局ａからのメッセージが受信されたことを通知し、ここで、このときの通信動作が完了されたことになる。
【００５１】
従って、この実施形態によれば、基地局と基地局ゾーン外にある移動局の間でも、前進基地局や中継局設備などの設置を要することなく、容易に、しかも確実に通信サービスを行なうことができる。
【００５２】
次に、本発明の第２の実施形態について図５と図６により説明する。ここで、この図５と図６に示す実施形態は、移動局Ａと移動局ａ１、及び移動局ａ２の３台の移動局が班を編成し、それぞれが親局と子局、それに孫局となって通信を行うようにしたものである。
【００５３】
そして、ここでは、一例として、移動局Ａが基地局ゾーン内に位置した親局となり、移動局ａ２が基地局エリア外の作業エリアに位置した孫局になった上で、移動局ａｌが移動局Ａと移動局ａ２の中間に位置して子局になり、ここで、作業エリアにある孫局（移動局ａ２）からのメッセージを、順次、子局（移動局ａｌ）と親局（移動局Ａ）を経由して基地局に伝達する場合が示されている。
【００５４】
図６の通信シーケンスにおいて、まず、基地局ゾーンより離れた作業エリアにある移動局ａ２は、自局のＩＤを含む通知情報とメッセージを、直接通信モードで待機している移動局ａｌにより受信されるように、直接通信キャリア（ｆ３）により送信する。
【００５５】
そこで、移動局ａｌ、受信した直接通信キャリアによるメッセージ情報が孫局（移動局ａ２）のＩＤを含む通知情報であったとき、受信メッセージをメモリに一旦保持し、次いで、この自局ＩＤを含む通知情報と当該メッセージを、同じく直接通信キャリア（ｆ３）により送信する。
【００５６】
このとき直接通信モードで待機している移動局Ａは、受信した直接通信キャリアのメッセージ情報が子局（移動局ａｌ）のＩＤを含む通知情報であったとき、受信メッセージをメモリに一旦保持し、通信モードを基地従属モードに切り替えた後、当該メッセージをメモリから読出し、自局ＩＤを含む通知情報と共に上り波キャリア（ｆ２）により送信する。
【００５７】
この上り波キャリア（ｆ２）は基地局で受信され、この結果、基地局は、ＡＣＫ情報を下り波キャリア（ｆｌ）により送信し、移動局Ａにメッセージの受理を報告する。
【００５８】
そこで、この基地局からのＡＣＫ情報を受信した移動局Ａは、この後、通信モードを直接通信モードに切り替え、子局（移動局ａｌ）のＩＤを含むＡＣＫ情報を直接通信キャリア（ｆ３）により送信する。
【００５９】
直接通信キャリア（ｆ３）は移動局ａｌで受信され、ここで、受信した直接通信キャリアが自局のＩＤを含むＡＣＫ情報であったとき、移動局ａｌは、孫局（移動局ａ２）のＩＤを含むＡＣＫ情報を、同じく直接通信キャリア（ｆ３）により送信する。
【００６０】
そこで、移動局ａ２は、いま受信した直接通信キャリアが自局のＩＤ情報を含むＡＣＫ情報であったとき、自局のメッセージが基地局に伝達されたことを確認し、ここで、このときの通信動作は完了されたことになる。
【００６１】
従って、この図５と図６の実施形態によれば、作業エリアが基地局ゾーンからかなり離れていた場合や、間に電波の伝播について障害となる大きな建造物などが存在した場合でも、前進基地局や中継局設備などの設置を要することなく、容易に、しかも確実に通信サービスを行なうことができる。
【００６２】
なお、以上の図６の説明では、基地局ゾーン外の作業エリアに位置する移動局のメッセージ情報を基地局に伝達する場合について示したが、基地局ゾーン内の不感地域からメッセージ情報を伝達する場合にも利用できる。
【００６３】
また、上記の説明では、作業エリアの移動局から基地局へのメッセージ伝送について説明したが、反対に基地局から作業エリアの移動局ヘメッセージを伝送する場合にも本発明の方法が適用できることは言うまでもない。
【００６４】
【発明の効果】
本発明によれは、中継局や前進基地局を設置しなくても、基地局ゾーン外のエリアから基地局ヘメッセージを伝達することができるため、中継局や前進基地局を設置する時間や費用の負担、及び周波数干渉なども考慮する必要がない。
【００６５】
また、本発明によれば、例えば基地局ゾーン周辺部や基地局ゾーン内であっても局部的に電波環境が悪い地域など不感地域との通信も可能である。
【図面の簡単な説明】
【図１】本発明による移動通信システムの第１の実施形態における動作の一例を示す概略構成図である。
【図２】本発明の第１の実施形態による動作の一例を示すシーケンス図である。
【図３】本発明による移動通信システムの第１の実施形態における動作の他の一例を示す概略構成図である。
【図４】本発明の第１の実施形態による動作の他の一例を示すシーケンス図である。
【図５】本発明による移動通信システムの第２の実施形態における動作の一例を示す概略構成図である。
【図６】本発明の第２の実施形態による動作の他の一例を示すシーケンス図である。
【図７】従来技術の移動通信システムによる動作の一例を示す概略構成図である。
【図８】従来技術の移動通信システムによる動作の一例を示すシーケンス図である。
【符号の説明】
ｆ１　下り波キャリア
ｆ２　上り波キャリア
ｆ３　直接通信用キャリア
【図１】
2004015119.tif 000003
【図２】
2004015119.tif 000004
【図３】
2004015119.tif 000005
【図４】
2004015119.tif 000006
【図５】
2004015119.tif 000007
【図６】
2004015119.tif 000008
【図７】
2004015119.tif 000009
【図８】
2004015119.tif 000010